(57)【要約】【課題】公営競技における投票者へのサービス向上を図ること。【解決手段】現金投票端末１０は、第１コードリーダ１０９及び第２コードリーダ１６と、制御部１１とを有する。第１コードリーダ１０９または第２コードリーダ１６は、現金投票券Ｔ１に印刷されたＱＲコード（登録商標）Ｃ１，Ｃ２を読み取る。制御部１１は、ＱＲコード（登録商標）Ｃ１，Ｃ２が読み取られたときに、通常記念投票券、応援記念投票券または的中記念投票券を発行する。【選択図】図３
2020035212.tif 000002
【特許請求の範囲】
【請求項１】
現金を使用した投票時の投票内容が印刷された投票券である現金投票券を発行する現金投票端末であって、
前記現金投票券に印刷されたコードであって、前記投票内容を表す前記コードを読み取るコードリーダと、
前記現金投票券に印刷された前記コードが読み取られたときに、配当金の払戻機能を有さない投票券である記念投票券であって、前記投票内容が印刷された前記記念投票券を発行する制御部と、
を具備する現金投票端末。
【請求項２】
前記制御部は、前記現金投票券に示されるレースの確定後に発行する前記記念投票券の印刷内容を、前記レースの確定前に発行する前記記念投票券の印刷内容と異ならせる、
請求項１に記載の現金投票端末。
【請求項３】
前記制御部は、的中したレースの前記記念投票券の印刷内容を、的中しなかったレースの前記記念投票券の印刷内容と異ならせる、
請求項１に記載の現金投票端末。
【請求項４】
前記コードリーダは、前記現金投票端末に翳された前記現金投票券に印刷された前記コードを読み取る第１コードリーダと、前記現金投票端末に挿入された前記現金投票券に印刷された前記コードを読み取る第２コードリーダとを含み、
前記制御部は、前記第１コードリーダによって前記コードが読み取られたときに、前記現金投票券に示されるレースの確定前であれば前記記念投票券を発行する一方で、前記レースの確定後であれば、前記記念投票券を発行せずに、前記現金投票券を前記現金投票端末に挿入することを促すメッセージを出力する、
請求項１に記載の現金投票端末。
【請求項５】
前記コードリーダは、前記現金投票端末に翳された前記現金投票券に印刷された前記コードを読み取る第１コードリーダと、前記現金投票端末に挿入された前記現金投票券に印刷された前記コードを読み取る第２コードリーダとを含み、
前記制御部は、前記第２コードリーダによって前記コードが読み取られたときに、前記現金投票券が的中しているときは前記現金投票券を回収した上で前記記念投票券を発行する、
請求項１に記載の現金投票端末。
【請求項６】
現金を使用した投票時の投票内容が印刷された投票券である現金投票券を発行する現金投票端末において、
前記現金投票券に印刷されたコードであって、前記投票内容を表す前記コードを読み取り、
前記現金投票券に印刷された前記コードを読み取ったときに、配当金の払戻機能を有さない投票券である記念投票券であって、前記投票内容が印刷された前記記念投票券を発行する、
記念投票券発行方法。
【発明の詳細な説明】
【技術分野】
【０００１】
開示の技術は、現金投票端末及び記念投票券発行方法に関する。
【背景技術】
【０００２】
競馬、競輪、競艇及びオートレース等の公営競技では、投票者は、レース開始前に投票券を購入し、購入した投票券が的中したときは、的中した投票券（以下では「的中投票券」と呼ぶことがある）と引き換えに配当金の払戻を受ける。投票者が的中投票券と引き換えに払戻を受ける場合、的中投票券は回収されてしまうため、的中投票券は投票者の手元に残らない。
【先行技術文献】
【特許文献】
【０００３】
【特許文献１】特開２０１３−０９２９３９号公報
【特許文献２】特開２０１４−２１５７７０号公報
【発明の概要】
【発明が解決しようとする課題】
【０００４】
的中投票券と引き換えに配当金の払戻を受ける投票者の中には、自分の投票内容が印刷された投票券を手元に残しておきたいという要求を持つ投票者も存在する。
【０００５】
開示の技術は、上記に鑑みてなされたものであって、公営競技における投票者へのサービス向上を図ることを目的とする。
【課題を解決するための手段】
【０００６】
開示の態様では、現金を使用した投票の投票内容が印刷された投票券を発行する現金投票端末は、コードリーダと、制御部とを有する。前記コードリーダは、前記投票券に印刷されたコードであって、前記投票内容を表す前記コードを読み取る。前記制御部は、前記投票券に印刷された前記コードが読み取られたときに、配当金の払戻機能を有さない投票券である記念投票券であって、前記投票内容が印刷された前記記念投票券を発行する。
【発明の効果】
【０００７】
開示の態様によれば、公営競技における投票者へのサービス向上を図ることができる。
【図面の簡単な説明】
【０００８】
【図１】図１は、実施例１の公営競技投票システムの構成例を示す図である。
【図２】図２は、実施例１の現金投票端末の外観の一例を示す図である。
【図３】図３は、実施例１の現金投票端末の構成例を示す図である。
【図４】図４は、実施例１の現金投票端末の動作例の説明に供する図である。
【図５】図５は、実施例１の現金投票端末の動作例の説明に供する図である。
【図６】図６は、実施例１の現金投票端末の動作例の説明に供する図である。
【図７】図７は、実施例１の現金投票端末の動作例の説明に供する図である。
【図８】図８は、実施例１の現金投票端末の処理例の説明に供する図である。
【図９】図９は、実施例１の現金投票端末の処理例の説明に供する図である。
【図１０】図１０は、実施例１の現金投票端末の処理例の説明に供する図である。
【発明を実施するための形態】
【０００９】
以下に、本願に開示の技術を図面に基づいて説明する。なお、この実施例により本願に開示の技術が限定されるものではない。また、各実施例において同一の機能を有する構成、及び、同一の処理を行うステップには同一の符号を付す。以下では、公営競技の一例として競馬を挙げて説明する。しかし、本願に開示の技術が適用可能な公営競技は競馬に限定されない。本願に開示の技術は、競輪、競艇またはオートレース等、競馬以外の公営競技にも適用可能である。
【００１０】
［実施例１］
＜公営競技投票システムの構成＞
図１は、実施例１の公営競技投票システムの構成例を示す図である。図１において、公営競技投票システム１は、現金投票端末１０と、ホストコンピュータ３０とを有する。現金投票端末１０とホストコンピュータ３０とは、ネットワーク４０を介して接続されており、相互に通信可能である。
【００１１】
現金投票端末１０は、現金を使用した投票が可能であり、現金による投票時の投票内容が印刷された投票券（以下では「現金投票券」と呼ぶことがある）を発行する。現金投票端末１０を用いて投票を行った投票者は、現金投票券をレース確定後に現金投票端末１０に挿入することで、配当金の払戻を受けることが可能である。つまり、現金投票券は、配当金の払戻機能を有する。
【００１２】
なお、図１においては、一例として、１台の現金投票端末１０を示した。しかし、ネットワーク４０に接続される現金投票端末１０の台数は１台に限定されず複数台であっても良い。
【００１３】
＜現金投票端末の外観＞
図２は、実施例１の現金投票端末の外観の一例を示す図である。図２において、現金投票端末１０は、運用状況表示窓１０１と、投票券挿入口１０２と、投票券排出口１０３と、マークカード挿入排出口１０４と、紙幣投入排出口１０５と、硬貨投入口１０６と、硬貨排出口１０７と、タッチパネル１０８と、第１コードリーダ１０９とを有する。
【００１４】
運用状況表示窓１０１は、現金投票端末１０において投票券の発行受付中であるか発行停止中であるかを表示する。また、運用状況表示窓１０１は、現金投票端末１０において的中券の払戻受付中であるか払戻停止中であるかを表示する。
【００１５】
投票券挿入口１０２には、当たりか外れかが確定している現金投票券が挿入される。つまり、投票券挿入口１０２には、レース確定後の現金投票券が挿入される。
【００１６】
投票券排出口１０３は、投票券を排出する。
【００１７】
マークカード挿入排出口１０４は、マークカードを挿入される一方で、返却されるマークカードを排出する。投票者は、マークカードにより投票内容を指定する。
【００１８】
紙幣投入排出口１０５は、紙幣を投入される一方で、返却される紙幣または釣銭とされる紙幣を排出する。
【００１９】
硬貨投入口１０６は、硬貨を投入される。
【００２０】
硬貨排出口１０７は、返却される硬貨または釣銭とされる硬貨を排出する。
【００２１】
タッチパネル１０８は、操作案内、レース案内、及び、マークカードによる投票内容等の各種の画面を表示し、各種の入力や投票内容の修正等の際にタッチ操作される。
【００２２】
第１コードリーダ１０９は、現金投票端末１０の外部に露出して設置され、第１コードリーダ１０９に対して翳された現金投票券に印刷されたコードを読み取る。
【００２３】
なお、現金投票端末１０において、投票券挿入口１０２と投票券排出口１０３とを一体構成としても良い。また、硬貨投入口１０６と硬貨排出口１０７とを一体構成としても良い。また、マークカード挿入排出口１０４を、マークカード挿入口とマークカード排出口とのように、別体構成としても良い。また、紙幣投入排出口１０５を、紙幣投入口と紙幣排出口とのように、別体構成としても良い。
【００２４】
＜現金投票端末の構成＞
図３は、実施例１の現金投票端末の構成例を示す図である。図３において、現金投票端末１０は、制御部１１と、通信部１２と、第１コードリーダ１０９と、印刷部１４と、タッチパネル１０８と、第２コードリーダ１６と、搬送部１７とを有する。通信部１２、第１コードリーダ１０９、印刷部１４、タッチパネル１０８、第２コードリーダ１６、及び、搬送部１７は、制御部１１による制御の下で動作する。通信部１２は、ネットワーク４０を介してホストコンピュータ３０と通信する。
【００２５】
搬送部１７は、投票券挿入口１０２に挿入された現金投票券を現金投票端末１０の内部へ搬送する。また、搬送部１７は、投票券を現金投票端末１０の内部から投票券排出口１０３へ搬送する。
【００２６】
第２コードリーダ１６は、現金投票端末１０の内部に設置される。第２コードリーダ１６は、搬送部１７により投票券挿入口１０２から現金投票端末１０の内部へ搬送された現金投票券に印刷されたコードを読み取る。
【００２７】
制御部１１は、例えばプロセッサによって実現される。プロセッサ１０ａの一例として、ＣＰＵ（Central  Processing  Unit）、ＤＳＰ（Digital  Signal  Processor）、ＦＰＧＡ（Field  Programmable  Gate  Array）等が挙げられる。
【００２８】
＜現金投票端末の動作＞
以下、現金投票端末の動作について、動作例１，２を挙げて説明する。図４〜図７は、実施例１の現金投票端末の動作例の説明に供する図である。以下では、現金投票券に印刷されるコードとして、二次元のコードであるＱＲコード（登録商標）を一例に挙げて説明する。しかし、本願に開示の技術が適用可能なコードはＱＲコード（登録商標）等の二次元のコードに限定されない。本願に開示の技術は、バーコード等の一次元のコードにも適用可能である。
【００２９】
＜動作例１：図４，図５＞
制御部１１は、現金投票端末１０を利用した現金による投票時に、図４に示す現金投票券Ｔ１を印刷部１４に印刷させ、投票券排出口１０３から現金投票券Ｔ１を発行する。現金投票券Ｔ１には、投票内容が印刷されるとともに、投票内容を表す数字列Ｎ１、及び、投票内容を表すＱＲコード（登録商標）Ｃ１，Ｃ２が印刷される。ＱＲコード（登録商標）Ｃ１，Ｃ２は、数字列Ｎ１をコード化したものである。つまり、現金投票券Ｔ１は、従来の既存の投票券である。
【００３０】
投票者は、配当金の払戻を受ける際には、現金投票券Ｔ１を投票券挿入口１０２に挿入する。投票券挿入口１０２に挿入された現金投票券Ｔ１は、搬送部１７により第２コードリーダ１６まで搬送される。
【００３１】
また、投票者は、配当金の払戻機能を有さない投票券（以下では「記念投票券」と呼ぶことがある）の入手を希望する際には、現金投票券Ｔ１に印刷されたＱＲコード（登録商標）Ｃ１，Ｃ２を第１コードリーダ１０９に翳すか、または、現金投票券Ｔ１を投票券挿入口１０２に挿入する。
【００３２】
制御部１１は、第１コードリーダ１０９または第２コードリーダ１６によりＱＲコード（登録商標）Ｃ１，Ｃ２が読み取られたときに、読み取られたＱＲコード（登録商標）Ｃ１，Ｃ２に基づいて、図５に示す記念投票券Ａ１を発行する。制御部１１は、第１コードリーダ１０９または第２コードリーダ１６によりＱＲコード（登録商標）Ｃ１，Ｃ２が読み取られると、ＱＲコード（登録商標）Ｃ１，Ｃ２に基づいて図５に示す記念投票券Ａ１を印刷部１４に印刷させ投票券排出口１０３から発行する。記念投票券Ａ１には、現金投票券Ｔ１に印刷されている投票内容と同一の投票内容が印刷される一方で、投票内容を表す数字列、及び、投票内容を表すＱＲコード（登録商標）は印刷されない。このように、記念投票券Ａ１は、投票内容を表す数字列、及び、投票内容を表すＱＲコード（登録商標）を有しないため、配当金の払戻機能を有しない。現金投票端末１０は、投票券に印刷された数字列、または、投票券に印刷されたＱＲコード（登録商標）を認識したときに、配当金の払戻しを行うからである。
【００３３】
＜動作例２：図６，図７＞
制御部１１は、現金投票券Ｔ１に印刷された投票内容の対象となるレースの確定前に、第１コードリーダ１０９または第２コードリーダ１６によりＱＲコード（登録商標）Ｃ１，Ｃ２が読み取られたときは、記念投票券Ａ４（図６）を発行する。記念投票券Ａ４には、動作例１と同様に、現金投票券Ｔ１に印刷されている投票内容と同一の投票内容が印刷される。また、記念投票券Ａ４には、動作例１と同様に、投票内容を表す数字列、及び、投票内容を表すＱＲコード（登録商標）は印刷されない。さらに、記念投票券Ａ４には、レース確定前に発行された記念投票券に特有のメッセージＭ１が印刷される。ここでは、一例として、メッセージＭ１の内容は、投票された買い目の馬を応援するメッセージである「ファイト！」となっている。以下では、記念投票券Ａ４のように、レース確定前に発行された記念投票券に特有のメッセージＭ１が印刷された記念投票券を「応援記念投票券」と呼ぶことがある。
【００３４】
また、制御部１１は、現金投票券Ｔ１に印刷された投票内容の対象となるレースの確定後に、第１コードリーダ１０９または第２コードリーダ１６によりＱＲコード（登録商標）Ｃ１，Ｃ２が読み取られたときは、記念投票券Ａ１（図５）または記念投票券Ａ５（図７）を発行する。
【００３５】
制御部１１は、レースの確定後にＱＲコード（登録商標）Ｃ１，Ｃ２が読み取られ、かつ、ＱＲコード（登録商標）Ｃ１，Ｃ２に対応する投票内容が的中していない場合は、記念投票券Ａ１を発行する。
【００３６】
一方で、制御部１１は、レースの確定後にＱＲコード（登録商標）Ｃ１，Ｃ２が読み取られ、かつ、ＱＲコード（登録商標）Ｃ１，Ｃ２に対応する投票内容が的中している場合は、記念投票券Ａ５を発行する。記念投票券Ａ５には、動作例１と同様に、現金投票券Ｔ１に印刷されている投票内容と同一の投票内容が印刷される。また、記念投票券Ａ５には、動作例１と同様に、投票内容を表す数字列、及び、投票内容を表すＱＲコード（登録商標）は印刷されない。さらに、記念投票券Ａ５には、的中した投票内容に特有のメッセージＭ２が印刷される。ここでは、一例として、メッセージＭ２の内容は「的中」となっている。以下では、記念投票券Ａ５のように、的中した投票内容に特有のメッセージＭ２が印刷された記念投票券を「的中記念投票券」と呼ぶことがある。また以下では、記念投票券Ａ１のように、投票内容が印刷される一方で、メッセージＭ１，Ｍ２が印刷されない記念投票券を「通常記念投票券」と呼ぶことがある。
【００３７】
なお、制御部１１は、ＱＲコード（登録商標）Ｃ１，Ｃ２に対応する投票内容の対象となるレースが確定前であるか確定後であるかを示す情報、及び、ＱＲコード（登録商標）Ｃ１，Ｃ２に対応する投票内容が的中しているか的中していないかを示す情報を、通信部１２を介したホストコンピュータ３０との通信により、ホストコンピュータ３０から取得する。
【００３８】
＜現金投票端末の処理＞
図８〜図１０は、実施例１の現金投票端末の処理例の説明に供する図である。以下では、動作例１，２以外の処理例について説明する。
【００３９】
図８に示すフローチャートは、例えば、タッチパネル１０８において、図９に示すような記念投票券発行ボタンＢＴ１の領域がタッチされたときに開始される。制御部１１は、例えば、タッチパネル１０８に表示させる初期画面に記念投票券発行ボタンＢＴ１を含める。
【００４０】
ステップＳ５１では、制御部１１は、制御部１１が有するタイマＴＭを起動させる。
【００４１】
次いで、ステップＳ５３では、制御部１１は、第１コードリーダ１０９がＱＲコード（登録商標）Ｃ１，Ｃ２を読み取って認識したか否かを判断する。第１コードリーダ１０９がＱＲコード（登録商標）Ｃ１，Ｃ２を認識した場合は（ステップＳ５３：Ｙｅｓ）、処理はステップＳ５９へ進み、第１コードリーダ１０９がＱＲコード（登録商標）Ｃ１，Ｃ２を認識していない場合は（ステップＳ５３：Ｎｏ）、処理はステップＳ５５へ進む。
【００４２】
ステップＳ５５では、制御部１１は、第２コードリーダ１６がＱＲコード（登録商標）Ｃ１，Ｃ２を読み取って認識したか否かを判断する。第２コードリーダ１６がＱＲコード（登録商標）Ｃ１，Ｃ２を認識した場合は（ステップＳ５５：Ｙｅｓ）、処理はステップＳ６５へ進み、第２コードリーダ１６がＱＲコード（登録商標）Ｃ１，Ｃ２を認識していない場合は（ステップＳ５５：Ｎｏ）、処理はステップＳ５７へ進む。
【００４３】
ステップＳ５７では、制御部１１は、タイマＴＭが満了したか否かを判断する。タイマＴＭが満了している場合は（ステップＳ５７：Ｙｅｓ）、処理は終了し、タイマＴＭが満了していない場合は（ステップＳ５７：Ｎｏ）、処理はステップＳ５３に戻る。
【００４４】
第２コードリーダ１６ではなく第１コードリーダ１０９がＱＲコード（登録商標）Ｃ１，Ｃ２を認識した場合は（ステップＳ５３：Ｙｅｓ）、ステップＳ５９において、制御部１１は、ＱＲコード（登録商標）Ｃ１，Ｃ２に対応する投票内容の対象となるレースが確定前であるか否かを判断する。
【００４５】
そして、ＱＲコード（登録商標）Ｃ１，Ｃ２に対応する投票内容の対象となるレースが確定前である場合は（ステップＳ５９：Ｙｅｓ）、ステップＳ６１において、制御部１１は、応援記念投票券（例えば、記念投票券Ａ４（図６））を投票券排出口１０３から発行する。ステップＳ６１の処理後、処理は終了する。
【００４６】
一方で、ＱＲコード（登録商標）Ｃ１，Ｃ２に対応する投票内容の対象となるレースが確定後である場合は（ステップＳ５９：Ｎｏ）、ステップＳ６３において、制御部１１は、記念投票券を発行することなく、タッチパネル１０８に注意メッセージを出力する。例えば、制御部１１は、図１０に示すような、現金投票券Ｔ１を投票券挿入口１０２に挿入することを投票者に促す注意メッセージＭＳをタッチパネル１０８に表示させる。ステップＳ６３の処理後、処理は終了する。
【００４７】
第１コードリーダ１０９ではなく第２コードリーダ１６がＱＲコード（登録商標）Ｃ１，Ｃ２を認識した場合は（ステップＳ５５：Ｙｅｓ）、ステップＳ６５において、制御部１１は、ＱＲコード（登録商標）Ｃ１，Ｃ２に対応する投票内容の対象となるレースが確定前であるか否かを判断する。
【００４８】
そして、ＱＲコード（登録商標）Ｃ１，Ｃ２に対応する投票内容の対象となるレースが確定前である場合は（ステップＳ６５：Ｙｅｓ）、制御部１１は、投票券挿入口１０２に挿入された現金投票券Ｔ１をステップＳ６７において投票券排出口１０３から返却するとともに、ステップＳ６９において、応援記念投票券（例えば、記念投票券Ａ４（図６））を投票券排出口１０３から発行する。ステップＳ６９の処理後、処理は終了する。
【００４９】
一方で、ＱＲコード（登録商標）Ｃ１，Ｃ２に対応する投票内容の対象となるレースが確定後である場合は（ステップＳ６５：Ｎｏ）、処理はステップＳ７１へ進む。
【００５０】
ステップＳ７１では、制御部１１は、ＱＲコード（登録商標）Ｃ１，Ｃ２に対応する投票内容が的中しているか否かを判断する。
【００５１】
そして、ＱＲコード（登録商標）Ｃ１，Ｃ２に対応する投票内容が的中していな場合は（ステップＳ７１：Ｎｏ）、ステップＳ７３において、制御部１１は、記念投票券を発行することなく、投票券挿入口１０２に挿入された現金投票券Ｔ１を投票券排出口１０３から返却する。
【００５２】
一方で、ＱＲコード（登録商標）Ｃ１，Ｃ２に対応する投票内容が的中している場合は（ステップＳ７１：Ｙｅｓ）、制御部１１は、投票券挿入口１０２に挿入された現金投票券Ｔ１をステップＳ７５において現金投票端末１０内に回収するとともに、ステップＳ７７において、的中記念投票券（例えば、記念投票券Ａ５（図７））を投票券排出口１０３から発行する。ステップＳ７７の処理後、処理は終了する。
【００５３】
以上のように、現金投票端末１０は、第１コードリーダ１０９及び第２コードリーダ１６と、制御部１１とを有する。第１コードリーダ１０９または第２コードリーダ１６は、現金投票券Ｔ１に印刷されたＱＲコード（登録商標）Ｃ１，Ｃ２を読み取る。制御部１１は、ＱＲコード（登録商標）Ｃ１，Ｃ２が読み取られたときに、通常記念投票券Ａ１、応援記念投票券Ａ４または的中記念投票券Ａ５を発行する。
【００５４】
こうすることで、的中投票券と引き換えに配当金の払戻を受ける際に投票内容が印刷された投票券を手元に残しておきたいという投票者の要求にこたえることができる。また、現金投票券の紛失が心配であるが、投票券を手に持ってレースを応援したいという投票者の要求にこたえることができる。よって、公営競技における投票者へのサービス向上を図ることができる。
【００５５】
また以上のように、制御部１１は、現金投票券Ｔ１に示されるレースの確定後における記念投票券の印刷内容を、現金投票券Ｔ１に示されるレースの確定前における記念投票券の印刷内容と異ならせる。
【００５６】
こうすることで、投票者の要望に沿った印刷内容の記念投票券を発行することができる。例えば、レース確定前の記念投票券に「ファイト！」というメッセージＭ１を印刷することにより、自分が投票した買い目の馬の記念投票券を手に持って応援したいという投票者の要望を満足させることができる。よって、さらに投票者へのサービス向上を図ることができる。
【００５７】
また以上のように、制御部１１は、的中したレースの記念投票券の印刷内容を、的中しなかったレースの記念投票券の印刷内容と異ならせる。
【００５８】
こうすることで、的中したレースの記念投票券の保存価値を高めることができる。
【００５９】
また以上のように、制御部１１は、第１コードリーダ１０９によってＱＲコード（登録商標）Ｃ１，Ｃ２が読み取られたときに（ステップＳ５３：Ｙｅｓ）、現金投票券Ｔ１に示されるレースの確定前であれば記念投票券を発行する一方で（ステップＳ５９：Ｙｅｓ，ステップＳ６１）、現金投票券Ｔ１に示されるレースの確定後であれば、記念投票券を発行せずに、現金投票券Ｔ１を現金投票端末１０に挿入することを促すメッセージを出力する（ステップＳ５９：Ｎｏ，ステップＳ６３）。
【００６０】
また以上のように、制御部１１は、第２コードリーダ１６によってＱＲコード（登録商標）Ｃ１，Ｃ２が読み取られたときに（ステップＳ５５：Ｙｅｓ）、現金投票券Ｔ１が的中しているときは現金投票券Ｔ１を回収した上で記念投票券を発行する（ステップＳ７１：Ｙｅｓ，ステップＳ７５，ステップＳ７７）。
【００６１】
こうすることで、記念投票券を入手したいという投票者の要求にこたえつつ、的中投票券を確実に回収することができる。
【００６２】
［実施例２］
現金投票端末１０の上記説明における各処理は、各処理に対応するプログラムをプロセッサに実行させることによって実現しても良い。例えば、上記説明における各処理に対応するプログラムが、現金投票端末１０が有するメモリまたはディスクドライブに記憶され、プログラムがプロセッサによってメモリまたはディスクドライブから読み出されて実行されても良い。現金投票端末１０が有するメモリの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【符号の説明】
【００６３】
１０  現金投票端末
１１  制御部
１０９  第１コードリーダ
１６  第２コードリーダ
【図１】
2020035212.tif 000003
【図２】
2020035212.tif 000004
【図３】
2020035212.tif 000005
【図４】
2020035212.tif 000006
【図５】
2020035212.tif 000007
【図６】
2020035212.tif 000008
【図７】
2020035212.tif 000009
【図８】
2020035212.tif 000010
【図９】
2020035212.tif 000011
【図１０】
2020035212.tif 000012